(57)【要約】【課題】従来の携帯端末ホルダ装置は、使いづらいという欠点があった。【解決手段】本発明の車両用の携帯端末ホルダ装置は、車両内に設置される、携帯端末を保持する携帯端末ホルダ部４と、上記携帯端末ホルダ部４に設けた、携帯端末の有無を検知する携帯端末検知手段１７と、この携帯端末１９を挟持する挟持手段とよりなり、上記携帯端末ホルダ部４は、上記検知手段１７が上記携帯端末１９の有を検知した時に、上記挟持手段により、上記携帯端末１９を挟持することを特徴とする。【選択図】図１
2015100010.tif 000002
【特許請求の範囲】
【請求項１】
車両内に設置される、携帯端末を保持する携帯端末ホルダ部と、
上記携帯端末ホルダ部に設けた、携帯端末の有無を検知する携帯端末検知手段と、この携帯端末を挟持する挟持手段とよりなり、
上記携帯端末ホルダ部は、上記検知手段が上記携帯端末の有を検知した時に、上記挟持手段により、上記携帯端末を挟持することを特徴とする車両用の携帯端末ホルダ装置。
【請求項２】
上記携帯端末ホルダ部は、携帯端末の背面を支持する背面部と、この背面部の下部に設けた、上記携帯端末の下側面を支持する下面部と、上記背面部の両側にそれぞれ設けた一方の側壁部及び他方の側壁部とよりなり、
上記挟持手段は、上記一方の側壁部に対して、上記他方の側壁部を接近させる接近手段であることを特徴とする請求項１記載の車両用の携帯端末ホルダ装置。
【請求項３】
上記背面部の携帯端末の支持面は、上記下面部が下側に位置するように、水平面に対して３０度〜６０度傾斜していることを特徴とする請求項２記載の車両用の携帯端末ホルダ装置。
【請求項４】
上記携帯端末ホルダ部は、更に、上記挟持手段により挟持された携帯端末に接続される電気的接続部と、上記検知手段が上記携帯端末の有を検知した時に、この電気的接続部を上記携帯端末に接続する接続手段とを有することを特徴とする請求項１、２又は３記載の車両用の携帯端末ホルダ装置。
【請求項５】
上記携帯端末ホルダ部は、更に、上記挟持手段により挟持された携帯端末を所望の設置位置に移動させる設置手段を有し、この設置手段は、上記検知手段が上記携帯端末の有を検知した時に、上記携帯端末を所望の設置位置に移動させることを特徴とする請求項１、２、３又は４記載の車両用の携帯端末ホルダ装置。
【請求項６】
上記携帯端末ホルダ部は、更に、この携帯端末ホルダ部を収納する収納ケースと、上記携帯端末ホルダ部をこの収納ケース内に収納又は外に突出させる移動手段とを有することを特徴とする請求項１、２、３、４又は５記載の車両用の携帯端末ホルダ装置。
【請求項７】
突出操作部が操作されることにより、携帯端末の有無を検知する携帯端末検知手段と、この携帯端末を挟持する挟持手段とを有する携帯端末ホルダ部を収納した収納ケース本体から、この携帯端末ホルダ部を外に突出させると共に、上記携帯端末ホルダ部を所望の携帯端末の支持位置に移動する第１の工程と、
上記携帯端末ホルダ部が携帯端末の有を検知することにより、上記携帯端末を上記挟持手段により挟持する第２の工程と、
上記携帯端末を挟持した上記携帯端末ホルダ部を所望の設定位置に移動する第３の工程と
よりなることを特徴とする車両用の携帯端末ホルダ装置による携帯端末の保持方法。
【請求項８】
上記携帯端末ホルダ部に、更に、上記挟持手段により挟持された携帯端末に接続される電気的接続部を設け、上記第２の工程と上記第３の工程と間に、この電気的接続部を上記携帯端末に接続する第４の工程を、更に設けたことを特徴とする請求項７記載の車両用の携帯端末ホルダ装置による携帯端末の保持方法。
【発明の詳細な説明】
【技術分野】
【０００１】
本発明は車両用の携帯端末ホルダ装置及びこの装置による携帯端末の保持方法、特に、スマートフォンなどの携帯端末を車両内に自動で最適な位置に保持できる携帯端末ホルダ装置及びこの装置による携帯端末の保持方法に関するものである。
【背景技術】
【０００２】
従来、携帯端末を車両内に保持するホルダとして各種のホルダがあり、従来のホルダの例１として、例えば、携帯端末を保持しない未使用時においては、ダッシュボードに設けたケース内にホルダを収納できるようにして、邪魔にならないようにしたものがある（特許文献１）。
【０００３】
また、従来のホルダの例２として、ホルダの底部に電気的接続部を設け、この電気接続部に、携帯端末の接続端子を接続できるようにしたものがある（特許文献２）。
【先行技術文献】
【特許文献】
【０００４】
【特許文献１】特開２００１−４５１２９号
【特許文献２】特開２０１２−９１６０９号
【発明の概要】
【発明が解決しようとする課題】
【０００５】
しかしながら、上記従来のホルダの例１においては、格納操作が手動であり、手間がかかる。
【０００６】
また、上記従来のホルダの例２においても、接続部の接続が手動であるため、手間がかかる。
【０００７】
本発明は、上記の欠点をなくすようにしたものである。
【課題を解決するための手段】
【０００８】
本発明の携帯端末ホルダ装置は、車両内に設置される、携帯端末を保持する携帯端末ホルダ部と、上記携帯端末ホルダ部に設けた、携帯端末の有無を検知する携帯端末検知手段と、この携帯端末を挟持する挟持手段とよりなり、上記携帯端末ホルダ部は、上記検知手段が上記携帯端末の有を検知した時に、上記挟持手段により、上記携帯端末を挟持することを特徴とする。
【０００９】
また、上記携帯端末ホルダ部は、携帯端末の背面を支持する背面部と、この背面部の下部に設けた、上記携帯端末の下側面を支持する下面部と、上記背面部の両側にそれぞれ設けた一方の側壁部及び他方の側壁部とよりなり、上記挟持手段は、上記一方の側壁部に対して、上記他方の側壁部を接近させる接近手段であることを特徴とする。
【００１０】
また、上記背面部の携帯端末の支持面は、上記下面部が下側に位置するように、水平面に対して３０度〜６０度傾斜していることを特徴とする。
【００１１】
また、上記携帯端末ホルダ部は、更に、上記挟持手段により挟持された携帯端末に接続される電気的接続部と、上記検知手段が上記携帯端末の有を検知した時に、この電気的接続部を上記携帯端末に接続する接続手段とを有することを特徴とする。
【００１２】
また、上記携帯端末ホルダ部は、更に、上記挟持手段により挟持された携帯端末を所望の設置位置に移動させる設置手段を有し、この設置手段は、上記検知手段が上記携帯端末の有を検知した時に、上記携帯端末を所望の設置位置に移動させることを特徴とする。
【００１３】
また、上記携帯端末ホルダ部は、更に、この携帯端末ホルダ部を収納する収納ケースと、上記携帯端末ホルダ部をこの収納ケース内に収納又は外に突出させる移動手段とを有することを特徴とする。
【００１４】
また、突出操作部が操作されることにより、携帯端末の有無を検知する携帯端末検知手段と、この携帯端末を挟持する挟持手段とを有する携帯端末ホルダ部を収納した収納ケース本体から、この携帯端末ホルダ部を外に突出させると共に、上記携帯端末ホルダ部を所望の携帯端末の支持位置に移動する第１の工程と、上記携帯端末ホルダ部が携帯端末の有を検知することにより、上記携帯端末を上記挟持手段により挟持する第２の工程と、上記携帯端末を挟持した上記携帯端末ホルダ部を所望の設定位置に移動する第３の工程とよりなることを特徴とする。
【００１５】
また、上記携帯端末ホルダ部に、更に、上記挟持手段により挟持された携帯端末に接続される電気的接続部を設け、上記第２の工程と上記第３の工程と間に、この電気的接続部を上記携帯端末に接続する第４の工程を、更に設けたことを特徴とする。
【発明の効果】
【００１６】
本発明によれば、ボタン操作一つあるいは、携帯端末を収納ケース本体に近接するだけで、収納ケース本体に収納されていた携帯端末ホルダ部を、自動で、携帯端末を載置するのに最適な位置まで移動するようになる。
【００１７】
また、また、携帯端末ホルダ部の電気的接続部と携帯端末の接続端子部を自動で接続できるようすると共に、携帯端末をホルダ部に固定した後に、電気的接続部を携帯端末に接続するようにしたので、確実に接続ができるになる。
【図面の簡単な説明】
【００１８】
【図１】本発明の携帯端末ホルダ装置の横断平面図である。
【図２】本発明の携帯端末ホルダ装置の正面図である。
【図３】本発明の携帯端末ホルダ装置のホルダ部の説明用横断平面図である。
【図４】本発明の携帯端末ホルダ装置のホルダ部の説明用縦断正面図である。
【図５】本発明の携帯端末ホルダ装置のホルダ部の説明用横断平面図である。
【図６】本発明の携帯端末ホルダ装置のホルダ部の説明用縦断正面図である。
【図７】本発明の携帯端末ホルダ装置のホルダ部の動作説明用側面図である。
【図８】本発明の携帯端末ホルダ装置のホルダ部の動作説明用側面図図である。
【図９】本発明の携帯端末ホルダ装置のホルダ部の動作説明用側面図である。
【図１０】本発明の携帯端末ホルダ装置のホルダ部の動作説明用側面図である。
【図１１】本発明の携帯端末ホルダ装置のホルダ部の動作説明用平面図である。
【図１２】本発明の携帯端末ホルダ装置のホルダ部の動作説明用平面図である。
【図１３】本発明の携帯端末ホルダ装置のホルダ部の動作説明用側面図である。
【図１４】本発明の携帯端末ホルダ装置のホルダ部の動作説明用平面図である。
【図１５】本発明の携帯端末ホルダ装置のホルダ部の動作説明用側面図である。
【発明を実施するための形態】
【００１９】
本発明を実施するための形態の実施例を以下に示す。
【実施例１】
【００２０】
図１及び図２は、本発明の端末装置の自動保持作動装置を示す。
【００２１】
１は、車両のダッシュボード、２は、このダッシュボード１に設けた開口部、３は、上記ダッシュボード１内に設けた箱状の収納ケース本体を示し、上記ダッシュボード１の開口部２に、上記収納ケース本体３の正面部３ａを位置させる。
【００２２】
４は、スマートフォンなどの携帯端末を保持させる携帯端末ホルダ部を示し、この携帯端末ホルダ部４は、移動手段５により、上記収納ケース本体３内に収納又は上記正面部３ａに設けた開口部６から外に突出する。
【００２３】
また、上記移動手段５は、上記収納ケース本体３内に設けられた長尺板状のスライド部材７と、このスライド部材７を長手方向にスライドさせるスライド機構部８とよりなり、このスライド部材７は、上記スライド機構部８により、上記正面部３ａの開口部６を貫通して、長手方向に移動自在に自動でスライドさせられるようになる。
【００２４】
また、上記スライド部材７の遊端部に、上記携帯端末ホルダ部４が、後述する図８及び図９に示すように、上記スライド部材６の長手方向に対して傾動自在に設けられていると共に、この携帯端末ホルダ部４を自動で傾動させる傾動手段が設けられている。
【００２５】
図３〜図６は、上記携帯端末ホルダ部４の詳細を示し、９は、この携帯端末ホルダ部４の背面部であり、この背面部９は、例えば、この携帯端末ホルダ部４に保持される、例えばスマートフォンの背面形状と略同形状の矩形板状に形成されていると共に、一方の側辺側の角部が弧状に湾曲している。そして、この背面部９の支持面により、保持される携帯端末の背面が支持されるようになる。
【００２６】
また、１０は、上記携帯端末ホルダ部４の下面部であり、この下面部１０は、上記背面部９の下辺から垂直方向に起立して設けられ、上記スマートフォンの下側面が支持されるようになる。なお、図８に示すように、上記下面部１０の端辺１０ａを、内側方向に折り曲げて、携帯端末を支持した時、上記携帯端末の上面の下縁部分を覆いかぶさるようにして、上記携帯端末が、上記携帯端末ホルダ部４から脱落しづらくしてもよい。
【００２７】
また、１１は、上記携帯端末ホルダ部４の一方の側壁部であり、この一方の側壁部１１は、上記背面部９の一方の側辺９ａから垂直方向に起立して設けられている。
【００２８】
また、１２は、上記携帯端末ホルダ部４の他方の側壁部であり、この他方の側壁部１２は、矩形板状に形成され、上記背面部９の他方の側辺９ｂの外方に、上記一方の側壁部１１に対向して配置される。
【００２９】
また、上記他方の側壁部１２の下端辺１２ａに垂直方向に突出して長尺板状のスライド部１３を設けて、このスライド部１３を例えば、上記背面部９の裏面に上記スライド部１３の長手方向にスライド自在に設ける。
【００３０】
また、この他方の側壁部１２を上記一方の側壁部１１に対して、自動で離接させる離接手段（図示せず）を設け、この離接手段により、携帯端末の両側面をそれぞれ上記一方の側壁部１１と上記他方の側壁部１２とにより自動で挟持するようにする。
【００３１】
なお、上記一方の側壁部１１の両側部１１ｂは、上記背面部９の角部に沿って湾曲させてもよく、後述するように、携帯端末を挟持した時に、その携帯端末の一方の側辺に合致して、上記携帯端末ホルダ部４から脱落しづらくしてもよい。
【００３２】
また、上記一方の側壁部１１の上端辺１１ａを内側方向に折り曲げて、携帯端末を挟持した時に、上記携帯端末の上面の縁部を覆いかぶさるようにして、上記携帯端末が、上記携帯端末ホルダ部４から脱落しづらくしてもよい。
【００３３】
また、上記他方の側壁部１２の両側端部１２ｃ、１２ｃを、後述するように、携帯端末を挟持した時に、その携帯端末の他方の側辺に合致して、上記携帯端末ホルダ部４から脱落しづらくするために、内側方向に湾曲させてもよい。なお、この場合、上記他方の側壁部１２の背面側を背面板１２ｄで塞ぐようにしてもよい。
【００３４】
また、上記他方の側壁部１２の上端辺１２ｂを内側方向に折り曲げて、上記と同様に、端末を挟持した時に、上記携帯端末の上面の縁部を覆いかぶさるようにして、上記携帯端末が、上記携帯端末ホルダ部４から脱落しづらくしてもよい。
【００３５】
なお、この場合、上記他方の側壁部１２と上記両側端部１２ｃと上記上端辺１２ｂと上記背面板１２ｄにより、携帯端末の側部を挿入できる凹部が形成されるようになる。
【００３６】
１４は、電気的接続部を示し、この電気的接続部１４は、上記一方の側壁部１１の外方に設けると共に、この電気的接続部１４に長尺板状のスライド部１５を固定し、このスライド部１５を、上記背面部９の裏面に上記スライド部１５の長手方向にスライド自在に設ける。
【００３７】
そして、この電気的接続部１４を上記一方の側壁部１１方向に対して、自動で離接させる離接手段（図示せず）を設ける。
【００３８】
また、上記電気的接続部１４には、携帯端末の接続端子部に接続可能な端子部１４ａが形成され、上記離接手段により、上記電気的接続部１４が上記一方の側壁部１１に接近した時に、上記接続部１４ａは、上記一方の側壁部１１に設けた貫通穴１６を貫通して、上記携帯端末ホルダ部４に挟持された携帯端末の接続端子に自動で接続されるようになる。
【００３９】
なお、この電気的接続部１４に接続される上記携帯端末の接続端子とは、例えば、携帯端末に設けられた電源端子や、外部入出力端子など電気的情報を携帯端末に入出力する入出力端子の端子部などがある。
【００４０】
また、例えば、上記携帯端末ホルダ部４の背面部９の支持面に、光センサなどの携帯端末検知手段１７を設け、携帯端末が上記携帯端末ホルダ部４の背面部に支持されたか否かを自動で検知するようにする。
【００４１】
なお、図２において、１８は、上記収納ケース本体３の正面部３ａに設けた操作部を示し、この操作部１８のインジェクションボタン１８ａを操作することにより、上記携帯端末ホルダ部４の収納又は突出を指示できると共に、この操作部１８の設置位置操作ボタン１８ｂを操作することにより、後述する、携帯端末ホルダ部４の設置位置を指示できるようになる。
【００４２】
なお、この操作部１８は、リモコンとして、上記収納ケース本体３から分離して設けても良く、また、携帯端末を用いて操作できるようにしてもよい。
【００４３】
次に、本発明の使用方法を説明する。
【００４４】
（収納段階）
携帯端末ホルダ部４に携帯端末を装着する前においては、図１、図２、図７に示すように、上記収納ケース本体３内に上記携帯端末ホルダ部４が収納されている。
【００４５】
また、上記携帯端末ホルダ部４は、図３及び図４に示すように、背面部９の支持面が収納ケース本体３の底面と平行になるように設置されていると共に、上記他方の側壁部１２及び電気的接続部１４は、それぞれ互いに接近する方向に位置し、コンパクトに収納されている。
【００４６】
（ホルダ部突出段階）
そして、例えば、上記操作部１８のイジェクトボタン１８ａを手動でボタン操作するなど、突出操作部を操作すれば、上記移動手段５のスライド機構部８により、上記スライド部材７が自動でスライドして、図８に示すように、上記携帯端末ホルダ部４が上記収納ケース本体３の開口部６から外に突出し、所望の位置までスライドする。
【００４７】
なお、上記操作部１８を手動でボタン操作する代わりに、上記操作部１８に、例えば、スマートフォン等から発信されているブルートゥース信号などの信号の検知手段（図示せず）を設け、スマートフォン等を操作部に近接させた場合に、そのスマートフォン等から発信されているブルートゥース信号などの信号を検知し、上記携帯端末ホルダ部４を上記ケース本体３から外に突出させるようにしてもよい。
【００４８】
（背面部傾斜段階）
そして、上記携帯端末ホルダ部４が所望の位置までスライドした後に、あるいは、所望の位置までスライドする途中で、上記携帯端末ホルダ部４の背面部９を、図９に示すように、上記傾動手段により、その支持面が、上記スライド部材７の長手方向に対して、３０度から６０度、好ましくは４５度なるように自動で傾斜させる。
【００４９】
また、上記携帯端末ホルダ部４が所望の位置までスライドした後に、あるいは、所望の位置までスライドする途中で、上記携帯端末ホルダ部４の他方の側壁部１２及び電気的接続部１４をそれぞれ、図５及び図６に示すように、上記一方の側壁部１１と上記他方の側壁部１２との間に携帯端末を挿入可能な位置まで離間する状態となるように、所望の位置まで自動で移動させる。
【００５０】
（端末挟持段階）
上記のように背面部９が傾斜することにより、図１０及び図１１に示すように、上記背面部９及び下面部１０により角部が形成され、この角部に、例えば、スマートフォンなどの携帯端末１９を仮置きができる。そして、この角部に携帯端末１９を載置すれば、上記検知手段１７が携帯端末の有を検知して、図１２及び図１３に示すように、上記他方の側壁部１２が、上記他方の側壁部１１に向かって自動で接近し、上記携帯端末１９の両側を上記一方の側壁部１１と上記他方の側壁部１２とにより挟持して、上記携帯端末ホルダ部４が上記端末装置１９を保持されるようになる。
【００５１】
（端子部接続段階）
そして、上記携帯端末１９が上記ホルダ部４に挟持固定されると、次は、電気的接続部１４が、図１４に示すように、上記離接手段により、上記一方の側壁部１１に向かって自動で接近し、上記電気的接続部１４の接続端子部１４ａが上記貫通穴１６を貫通して、上記携帯端末１９の電源端子部に接続されるようになる。
【００５２】
（端末設置段階）
そして、上記携帯端末ホルダ部４は、図１５に示すように、上記移動手段５及び上記傾動手段により、上記携帯端末１９の表示画面が見やすいような位置、あるいは、上記携帯端末１９の操作がしやすい位置に、上記収納ケース本体３側に移動すると共に、上記携帯端末ホルダ部４が傾動するなどして、上記携帯端末ホルダ部４は、所望の設置位置に自動で移動して固定される。
【００５３】
なお、初期設定時は、例えば、上記収納ケース本体３の正面部３ａに近接すると共に、その正面部３ａに平行して、上記背面部９の支持面が設置されるように設定されているが、上記操作部１８の位置設定操作ボタン１８ｂをボタン操作して、携帯端末の画面が見やすい位置に変更するようにしてもよい。なお、この位置を記憶させておけば、次回から、その位置で、固定されるようになる。
【００５４】
なお、上記操作部１８を操作する代わりに、リモコンや携帯端末により操作するようにしてもよい。
【００５５】
以上により、上記携帯端末１９が上記携帯端末ホルダ部４に挟持され保持されるようになる。
【００５６】
次に、上記携帯端末ホルダ部４により挟持保持された携帯端末１９の取り出す方法を説明する。なお、この取り出す動きは、上記装着時の動きと逆の動きをする。
【００５７】
（解除段階）
即ち、上記操作部１８のイジェクトボタン１８ａを手動で押せば、上記ホルダ部４が自動で外方に突出すると共に、上記背面部９が上記の所望の傾斜角度まで自動で傾斜し、また、上記電気的接続部１４が、上記離接手段により、上記一方の側壁１１から自動で離間する方向に移動して、上記電気的接続部１４の接続部１４ａと上記端末装置１９の接続端子の接続が解除される。
【００５８】
次に、上記他方の側板部１２が、上記離接手段により、上記一方の側壁部１１に対して離間して、挟持されていた携帯端末１９の挟持が自動で解除される。なお、この解除は、上記ホルダ部４が外方の突出している間に行っても良い。
【００５９】
（収納段階）
そして、上記携帯端末ホルダ部４の背面部９と下面部１０の角部により支持された上記携帯端末１９を取り外せば、上記検知手段１７が携帯端末がないことを検知して、上記携帯端末ホルダ部４の支持面が上記収納ケース本体３の底面に対して、平行になるように自動で傾斜すると共に、上記他方の側壁部１２及び電気接続部１４が、それぞれ互いに近接する方向に自動で位置し、また、上記スライド部材７が自動でスライドして、上記携帯端末ホルダ部４は、上記収納ケース本体３内の所望の位置まで移動するようになる。
【００６０】
これにより、上記携帯端末ホルダ部４は上記収納ケース本体３内に収納されるようになる。
【００６１】
本発明によれば、ボタン操作一つあるいは、携帯端末を収納ケース本体３に近接するだけで、収納ケース本体３に収納されていた携帯端末ホルダ部４を、自動で、携帯端末を載置するのに最適な位置まで移動するようになる。
【００６２】
また、上記ホルダ部４の背面部９は所望の角度で傾斜していので、携帯端末を載置しやすく、しかも、検知手段１７により、携帯端末を載置しただけで、自動で携帯端末１９を挟持固定できるようになる。
【００６３】
また、携帯端末ホルダ部４の背面部９に携帯端末１９をラフにおいても、携帯端末１９を所望の位置で挟持固定することができる。
【００６４】
また、上記携帯端末ホルダ部４に、電気的接続部１４を設けたので、充電ケーブルや入出力ケーブルなどを別途設ける必要がない。
【００６５】
また、携帯端末１９をホルダ部４に固定した後に、電気的接続部１４を携帯端末に接続するようにしたので、確実に接続ができるになる。
【００６６】
また、携帯端末は適切な設置位置まで移動し、固定されるので、携帯端末の表示面が見やすく、また操作が容易となる。
【００６７】
また、保持された携帯端末１９を取り出すときも、ボタン操作一つで、自動で、携帯端末１９を取りだすのに最適な位置まで移動するので、便利となる。
【００６８】
また、携帯端末ホルダ部４から携帯端末１９を取り外せば、上記検知手段１７により、自動で、携帯端末ホルダ部４が上記収納ケース本体３内に収納されるようになり、携帯端末ホルダ部４の邪魔感がない。
【符号の説明】
【００６９】
１                      ダッシュボード
２                      開口部
３                      収納ケース本体
３ａ                    正面部
４                      携帯端末ホルダ部
５                      移動手段
６                      開口部
７                      スライド部材
８                      スライド機構部
９                      背面部
９ａ                    一方の側辺
９ｂ                    他方の側辺
１０                    下面部
１０ａ                  端辺
１１                    一方の側壁部
１１ａ                  上端辺
１１ｂ                  側端部
１２                    他方の側壁部
１２ａ                  下端辺
１２ｂ                  上端辺
１２ｃ                  側端部
１２ｄ                  背面板
１３                    スライド部
１４                    電気的接続部
１４ａ                  端子部
１５                    スライド部
１６                    貫通穴
１７                    検知手段
１８                    操作部
１８ａ                  インジェクションボタン
１８ｂ                  位置設定操作ボタン
１９                    携帯端末
【図１】
2015100010.tif 000003
【図２】
2015100010.tif 000004
【図３】
2015100010.tif 000005
【図４】
2015100010.tif 000006
【図５】
2015100010.tif 000007
【図６】
2015100010.tif 000008
【図７】
2015100010.tif 000009
【図８】
2015100010.tif 000010
【図９】
2015100010.tif 000011
【図１０】
2015100010.tif 000012
【図１１】
2015100010.tif 000013
【図１２】
2015100010.tif 000014
【図１３】
2015100010.tif 000015
【図１４】
2015100010.tif 000016
【図１５】
2015100010.tif 000017